(57)【要約】  【課題】吸音性能と電波吸収性能を両立させて、それぞれ高い性能を有する電波吸収吸音パネルを提供する。  【解決手段】音源および電波照射側から順に保護層１、電波吸収層２、電波反射層３、吸音層４、遮音層５の積層構造に構成され、その電波反射層３が金属製多孔板３１からなり、正面から見て、保護層１を前面にして、その四周はアルミニウムまたはステンレススチールのチャンネル枠材６によってパネル化されている。この電波反射層３を形成する金属製多孔板３１としては、孔径寸法が２〜１５ｍｍの多数の開口を備え、その開口率を３０〜７０％としたものがよく、アルミニウム合金またはステンレススチールなどのエキスパンドメタル、パンチングメタルが用いられる。  【選択図】  図１
2006257762.tif 000002
【特許請求の範囲】
【請求項１】
音源および電波照射側から順に保護層、電波吸収層、電波反射層、吸音層、遮音層の積層構造に構成された電波吸収吸音パネルであって、電波反射層が金属製多孔板からなることを特徴とする電波吸収吸音パネル。
【請求項２】
前記電波反射層が、孔径寸法が２〜１５ｍｍの多数の開口を備え、開口率を３０〜７０％とした金属製多孔板からなる請求項１に記載の電波吸収吸音パネル。
【請求項３】
前記電波反射層が、アルミ繊維を圧縮成形した吸音性能を併せて有する多孔質板からなる請求項１に記載の電波吸収吸音パネル。
【請求項４】
前記吸音層が、吸音材充填層または空気層からなる請求項１、２または３に記載の電波吸収吸音パネル。
【請求項５】
前記電波吸収層が、カーボンを被覆した有機高分子多孔質材からなり、単位面積当たりの通気抵抗を１００Ｎ・sec/m3以下とした請求項１〜４のいずれかに記載の電波吸収吸音パネル。
【請求項６】
前記保護層が、開口率が４０〜６０％の有機高分子製の孔明き板からなる請求項１〜５のいずれかに記載の電波吸収吸音パネル。
【発明の詳細な説明】
【技術分野】
【０００１】
本発明は、電波吸収性能と吸音性能とを兼ね備えた電波吸収吸音パネルに関する。
【背景技術】
【０００２】
防音壁を設けて騒音を防止するようにした高速道路などの沿線において、電波障害を防止する必要のある個所がある。例えば、料金自動支払システムが設けられた料金所近辺では騒音を防止するとともに電波障害が生じないよう配慮しないと、システムが誤動作するなどの問題のおそれがあった。
【０００３】
この目的に対しては、従来の防音専用の防音壁では電波吸収機能が期待できず、また、フェライト含有樹脂成形体からなる電波吸収体（特許文献１を参照）を配列した電波吸収パネルを使用する場合は、十分な騒音防止効果が得られないが実態であった。このような騒音と電波障害の両方に対応できるものとして特許文献２にあるような電波音波吸収パネルも提案されている。（特許文献２を参照）
【特許文献１】特開２００２−１３４９８１号公報：特許請求の範囲
【特許文献２】特開２００３−３２１８１１号公報：特許請求の範囲、図１、図２
【０００４】
この電波音波吸収パネルは、音源、電波照射側から順に、厚さ０．５〜１．０ｍｍ、開口率が６〜３０％のポリカーボネイト樹脂シートなどからなる保護層、カーボンで被覆された繊維集合体からなる電波吸収層、アルミニウム箔のフィルムからなる電波反射層、グラスウールなどからなる吸音層、亜鉛メッキ鋼板からなる遮音材（音波反射層）を積層したパネルである。ところが、この電波音波吸収パネルを設けた個所における騒音防止効果は予想したようには発揮されず、さらなる吸音性能の改良が望まれた。  
【発明の開示】
【発明が解決しようとする課題】
【０００５】
本発明は、上記の問題点を解決するためになされたものであり、吸音性能と電波吸収性能を両立させて、それぞれ高い性能を有する電波吸収吸音パネルを提供する。
【課題を解決するための手段】
【０００６】
上記の問題は、音源および電波照射側から順に保護層、電波吸収層、電波反射層、吸音層、遮音層の積層構造に構成された電波吸収吸音パネルであって、電波反射層が金属製多孔板からなることを特徴とする本発明の電波吸収吸音パネルによって、解決することができる。
【０００７】
また、前記電波反射層が、孔径寸法が２〜１５ｍｍの多数の開口を備え、開口率を３０〜７０％とした金属製多孔板からなる形態、および前記電波反射層が、アルミ繊維を圧縮成形した吸音性能をも併せて有する多孔質板からなる形態に好ましく具体化される。
【０００８】
さらに、本発明の電波吸収吸音パネルは、前記吸音層が、吸音材充填層または空気層からなる形態、あるいは前記電波吸収層が、カーボンを被覆した有機高分子多孔質材からなり、単位面積当たりの通気抵抗を１００Ｎ・ｓｅｃ/ｍ3以下とした形態、前記保護層が、開口率が４０〜６０％の有機高分子製の孔明き板からなる形態とするのが好適である。
【発明の効果】
【０００９】
本発明の電波吸収吸音パネルは、このように構成部材である、保護層、電波吸収層、電波反射層、吸音層、遮音層の積層構造において、金属製多孔板からなる電波反射層を用いることにより、後記実施例に示す通り、吸音性能と電波吸収性能を両立させて、それぞれ高い性能を有する電波吸収吸音パネルを提供する。そして、この電波吸収吸音パネルを所要の個所の防音壁として利用することで電波障害をも防止できるという優れた効果がある。よって本発明は、従来の問題点を解消した電波吸収吸音パネルとして、工業的価値はきわめて大なるものがある。
【発明を実施するための最良の形態】
【００１０】
次に、本発明の電波吸収吸音パネルに係る実施形態１、２について、図１〜３を参照しながら説明する。
（実施形態１）
本発明の実施形態１の電波吸収吸音パネルは、図１において、音源および電波照射側から順に保護層１、電波吸収層２、電波反射層３、吸音層４、遮音層５の積層構造に構成され、その電波反射層３が金属製多孔板３１からなる点に特徴がある。そして、図２に示すように、正面から見て、保護層１を前面にして、その四周はアルミニウムやステンレススチールなどの金属製チャンネル枠材６によってパネル化されている。
【００１１】
（電波反射層）
本発明の特徴的部材であるこの電波反射層３を形成する金属製多孔板３１としては、孔径寸法が２〜１５ｍｍの多数の開口を備え、その開口率を３０〜７０％としたものがよい。この目的に好ましい材料としては、アルミニウム合金またはステンレススチールなどのエキスパンドメタル、パンチングメタルが用いられる。
【００１２】
それら金属板の板厚は０．３〜２．０ｍｍの範囲が適当であり、エキスパンドメタルの場合は、開口率５０％〜６０％の材料が適当である。開口率が前記範囲が好ましい理由は、下限値未満の場合は、電波吸収効果が低下するので好ましくなく、また上限値超えの場合は、吸音効果が低下するので好ましくないからである。
【００１３】
（保護層）
この保護層１は、音源および電波照射側に露出して設けられ、内部を保護する部材であるが、好ましい材料は、板厚：０．５〜５．０ｍｍのＦＲＰ、ＰＰなど高分子樹脂材料からなる孔明き板が適当であり、その孔径が５〜２０ｍｍ、開口率は少なくとも４０％であることが好ましい。４０％未満の場合は、パネル内に導入できる騒音が少なくなるので、十分な吸音性能が得られ難いから好ましくなく、保護性能が得られる限り開口率は大きいほうがよいが、上限は一般的に８５％である。
【００１４】
（電波吸収層）
電波照射側から入射する電波を吸収する部材である電波吸収層２は、吸音層４前方に配置されるので、その好ましい材料は、通気性を有する材料が好ましく、例えば、特許文献２に開示されているようなカーボン被覆繊維集合体のような有機高分子多孔質材からなる電波吸収材が適当であるが、本発明では、その単位面積当たりの通気抵抗を１００Ｎ・ｓｅｃ／ｍ3以下の材料を用いるのが、後記の吸音効果を高める観点から特に好ましい。
【００１５】
（吸音層）
実施形態１（図１）における吸音層４は、グラスウール吸音材（密度：２０〜７０ｋｇ／ｍ3、厚さ：５０〜１５０ｍｍ）、またはポリエステル繊維吸音材（密度：２０〜７０ｋｇ／ｍ3、厚さ：５０〜１５０ｍｍ）など繊維質吸音材の充填層の場合を示している。この吸音層４は、軽量化、コストダウンを目的として、必要に応じて空気層と置換してもよい。
【００１６】
（遮音層）
遮音層５は、騒音がパネルを通過するのを防止し、かつ前方に反射して吸音層４で再吸音させる部材として、重量のある緻密な材料が好ましく、この目的に適当な材料として、厚さ１〜５ｍｍ程度の亜鉛メッキ鋼板、塗装鋼板などの金属板がパネルの裏面に配設される。
【００１７】
（実施形態２）
本発明の実施形態２を図３に示すが、図１の実施形態１との相違点は、電波反射層３として、アルミ繊維を圧縮成形したアルミ繊維集合板３２を用いるとともに、背後に空気層４１からなる吸音層を設けた点にある。
このアルミ繊維集合板３２の、優れた吸音性能と、同時に備えている電波反射性能にも着目し、電波反射層と吸音層とを兼用させたところに特徴がある。そこで、図１に吸音層４に相当する部分は、厚さ８０〜１５０ｍｍ程度の空気層４１とすることにより、軽量化、コストダウンすることができる。
【実施例】
【００１８】
次に、表１に基づいて、比較例を参照しながら本発明を詳細に説明する。この場合の実施例および比較例の各構成部材は、同じく表１の「条件」欄に示す通りである。なお、電波吸収性と吸音率は、周知のアーチ法（反射電力法）および平均斜入射吸音率の測定方法により測定した結果である。
【００１９】
【表１】
2006257762.tif 000003
【００２０】
実施例と比較例との電波吸収性、吸音率を示す表１によれば、本発明の場合は、日本道路公団規格の電波吸収性能「−２０ｄＢ以上」を満足し、且つ平均斜入射吸音率は、堀割道路の規格０．８以上や高架裏面吸音板の規格０．９以上を満足させる高い電波吸収性と吸音性が得られることが分かる。この理由は、電波吸収層２と吸音層４の間に音波透過性の大きい、すなわち通気性のある電波反射層３１を配置することにより、電波を反射して電波吸収効果を高めるとともに、音波を吸音する吸音層４に導入できることによるものである。
【００２１】
さらに、保護層１の開口率や、電波吸収層２の通気特性を限定して通気性を極めて大きく（通気抵抗極小）することにより、入射した音波を電波吸収層２を透過させて吸音層４で十分吸音させることができるのでより高い吸音性が得られるものである。
【図面の簡単な説明】
【００２２】
【図１】本発明の実施形態１の構成部材を説明するための要部縦断面図。
【図２】実施形態１の正面図。
【図３】実施形態２の構成部材を説明するための要部縦断面図。
【符号の説明】
【００２３】
１：保護層
２：電波吸収層
３：電波反射層、３１：金属製多孔板
４：吸音層
５：遮音層
６：チャンネル枠材
【図１】
2006257762.tif 000004
【図２】
2006257762.tif 000005
【図３】
2006257762.tif 000006